(57)【要約】  【課題】従来よりも多くのパターンの取付角度による譜面台の取り付けを実現する譜面台調節機構を提供する。  【解決手段】本実施例の譜面台調節機構１は、鍵盤楽器本体２に対して譜面台３を回転可能に取り付ける蝶番１０，譜面台３に配置された譜面台ギア２０，鍵盤楽器本体２に取り付けられた操作ギア３０などによって構成されている。  この譜面台調節機構１によれば、操作ギア３０が回転すると、係合突起３２が回転突起２２に係合しながら回転することで、その回転突起２２と共に譜面台ギア２０を回転させ、これにより、その回転と連動して譜面台３が回転する。そのため、操作ギア３０を連続的に回転させると、譜面台３を連続的に回転させることができる。【選択図】図１
2008241883.tif 000002
【特許請求の範囲】
【請求項１】
鍵盤楽器本体に対する譜面台の取付角度を調節するための譜面台調節機構であって、
該譜面台調節機構は、譜面台の取付角度を、一定の範囲内における任意の値とすることができる
ことを特徴とする譜面台調節機構。
【請求項２】
前記鍵盤楽器本体に対して前記譜面台を回転可能に取り付ける譜面台取付部と、
前記譜面台が回転する際の軌道に沿って配置された１以上の回転突起を有し、該回転突起が、前記譜面台の回転に連動し、かつ、該譜面台と同じ回転軸で回転する位置関係で取り付けられている回転突起部と、
前記回転突起と係合可能な係合突起を有し、該係合突起を前記回転突起に係合させた状態で、前記鍵盤楽器本体に対して一定範囲内で変位可能となるように前記鍵盤楽器本体に取り付けられている変位係合部と、を備え、
前記係合突起が前記回転突起と係合した状態で前記変位係合部が変位すると、前記係合突起が、前記回転突起に係合しながら変位することで該回転突起と共に前記回転突起部を回転させ、これにより、該回転と連動して前記譜面台が回転するように構成されている
ことを特徴とする請求項１に記載の譜面台調節機構。
【請求項３】
前記変位係合部は、前記係合突起が１以上形成されてなる棒状部材であって、該棒状部材が、その長手方向に延びる軸を回転軸として前記鍵盤楽器に対して回転可能となるように取り付けられ、また、前記係合突起それぞれが、前記棒状部材を回転させた場合における回転方向に沿って配置され、
前記変位係合部の棒状部材が回転すると、前記係合突起のうち少なくともいずれかが、前記回転突起に係合しながら回転することで該回転突起と共に前記回転突起部を回転させ、これにより、該回転と連動して前記譜面台が回転するように構成されている
ことを特徴とする請求項２に記載の譜面台調節機構。
【請求項４】
前記変位係合部は、前記棒状部材の長手方向における所定の領域にのみ前記係合突起が形成されている
ことを特徴とする請求項３に記載の譜面台調節機構。
【請求項５】
前記変位係合部において、
前記係合突起は、前記棒状部材の一端側に形成されており、
前記棒状部材は、その他端側が前記鍵盤楽器における演奏者側に向けて延びる位置関係で配置されている
ことを特徴とする請求項４に記載の譜面台調節機構。
【請求項６】
前記譜面台の前記鍵盤楽器本体に対する回転を抑制する回転抑制部を備え、
前記回転抑制部は、
前記回転突起部の回転と連動して変位する変位固定部材と、
少なくとも、前記変位固定部材と嵌合して該変位固定部材の前記鍵盤楽器本体に対する変位を抑制する位置，および，前記変位固定部材と嵌合しない位置それぞれに変位可能な状態で、前記鍵盤楽器本体に取り付けられた嵌合部材と、からなり、
該嵌合部材が前記変位固定部材と嵌合する位置まで変位すると、前記変位固定部材の前記鍵盤楽器本体に対する変位が抑制されることに伴って前記回転突起部の回転が抑制され、これにより、該回転突起部と連動する前記譜面台の回転が抑制されるように構成されている
ことを特徴とする請求項２〜５いずれかに記載の譜面台調節機構。
【請求項７】
前記回転抑制部における前記変位固定部材は、前記変位係合部における係合突起の変位と連動して変位する位置関係で取り付けられており、
前記嵌合部材が前記変位固定部材と嵌合する位置まで変位すると、前記変位固定部材の前記鍵盤楽器本体に対する変位が抑制されることに伴って前記変位係合部の変位が抑制されることにより、該変位係合部の係合突起と前記回転突起が係合した状態での前記回転突起部の回転が抑制され、これにより、該回転突起部と連動する前記譜面台の回転が抑制されるように構成されている
ことを特徴とする請求項６に記載の譜面台調節機構。
【請求項８】
前記鍵盤楽器本体に対して前記譜面台を回転可能に取り付ける譜面台取付部と、
前記譜面台の前記鍵盤楽器本体に対する回転を抑制する譜面台固定部と、を備え、
前記譜面台固定部は、
前記譜面台の回転に連動して回転する回転部材と、
前記回転部材に対向するように配置され、該回転部材と当接する当接位置，および，該回転部材から所定の距離離れた隔離位置それぞれに変位可能となるように、前記鍵盤楽器本体に取り付けられている移動部材と、からなり、
前記移動部材が前記当接位置に位置する場合に、前記移動部材が前記回転部材の回転を抑制することで、前記譜面台の回転を抑制する一方、
前記移動部材が前記隔離位置に位置する場合に、前記移動部材による前記回転部材の回転の抑制が解除されることで、前記譜面台の回転が可能となる
ことを特徴とする請求項１に記載の譜面台調節機構。
【請求項９】
前記移動部材は、磁石を備えており、
前記譜面台固定部は、少なくとも前記磁石との間に、引力または斥力のいずれか１つを発生する磁石を有する操作部材を備え、
前記移動部材は、前記移動部材の磁石と、前記操作部材の磁石と、の間の引力または斥力により、前記当接位置と前記隔離位置との間で変位する
ことを特徴とする請求項８に記載の譜面台調節機構。
【発明の詳細な説明】
【技術分野】
【０００１】
鍵盤楽器本体に対する譜面台の取付角度を調節するための譜面台調節機構に関する。
【背景技術】
【０００２】
従来より、鍵盤楽器には、譜面台の取付角度を調節するための譜面台調節機構として、次のようなものが備えられていることが一般的である。
それは、鍵盤楽器本体に対して回転可能に取り付けられた譜面台をその背面側から支持棒にて支持し、この支持棒の下端側を、譜面台の回転軸から遠ざかるように配置された複数の係合溝のうち、任意の係合溝に係合させることで、その譜面台の取付角度を調節する、といった構成のものである。
【０００３】
この構成では、係合溝が譜面台から遠ざかるように配置されているため、支持棒を係合させる係合溝を変えることで、譜面台が鍵盤楽器本体に対して近づくまたは遠ざかるように回転し、これにより、譜面台の取付角度を調節することができる。
【０００４】
このとき、譜面台における取付角度の調節可能な範囲は、支持棒の長さに依存するため、近年では、この支持棒の長さを変更可能に構成することで、その調節可能な範囲を変更することのできる技術も提案されている（特許文献１参照）。
【０００５】
この技術によれば、取付角度の調節可能な範囲を変更するにあたり、長さの異なる支持棒を複数種類用意したり、これらを交換したり、といったことが必要なくなるため、製造コストの削減や、作業の簡略化といった効果を得ることができる。
【特許文献１】特開２０００−１６３０４６号公報
【発明の開示】
【発明が解決しようとする課題】
【０００６】
しかしながら、上述した技術では、譜面台の取付角度を調節するために、支持棒の下端が係合する係合溝を選択する，または，支持棒の長さを変更するといった構造上、それらの組み合わせ，および，鍵盤楽器本体の形状（例えば、本持桿の奥行きなど）によって定まる数種類のパターンでしか取付角度を調節することができず、それ以外の細かい取付角度を実現することができない。
【０００７】
本発明は、このような問題に鑑みてなされたものであり、従来よりも多くのパターンの取付角度による譜面台の取り付けを実現できる譜面台調節機構を提供することを目的とする。
【課題を解決するための手段】
【０００８】
上述した問題点を解決するためになされた請求項１記載の発明は、鍵盤楽器本体に対する譜面台の取付角度を調節するための譜面台調節機構であって、該譜面台調節機構は、譜面台の取付角度を、一定の範囲内における任意の値とすることができることを特徴とする譜面台調節機構である。
【０００９】
このような譜面台調節機構であれば、従来よりも多くのパターンの取付角度による譜面台の取り付けを実現することができる。
また、請求項１の構成を、請求項２に記載の譜面台調節機構のように構成することが考
えられる。
【００１０】
この譜面台調節機構は、前記鍵盤楽器本体に対して前記譜面台を回転可能に取り付ける譜面台取付部と、前記譜面台が回転する際の軌道に沿って配置された１以上の回転突起を有し、該回転突起が、前記譜面台の回転に連動し、かつ、該譜面台と同じ回転軸で回転する位置関係で取り付けられている回転突起部と、前記回転突起と係合可能な係合突起を有し、該係合突起を前記回転突起に係合させた状態で、前記鍵盤楽器本体に対して一定範囲内で変位可能となるように前記鍵盤楽器本体に取り付けられている変位係合部と、を備える。
【００１１】
この譜面台調節機構では、前記係合突起が前記回転突起と係合した状態で前記変位係合部が変位すると、前記係合突起が、前記回転突起に係合しながら変位することで該回転突起と共に前記回転突起部を回転させ、これにより、該回転と連動して前記譜面台が回転するように構成されている。
【００１２】
このように構成された譜面台調節機構によれば、変位係合部を連続的に変位させると、係合突起が回転突起に係合しながら変位することで、この回転突起と共に回転突起部が回転するため、その回転と連動した譜面台の連続的な回転を実現することができる。
【００１３】
このように、譜面台を連続的に回転させることができるため、変位係合部の変位量に応じて譜面台の取付角度を任意に変化させることができる結果、従来よりも多くのパターンの取付角度による譜面台の取り付けを実現できる。
【００１４】
なお、上述した変位係合部は、回転突起部と連動して変位可能となるのであれば、その具体的な取り付け方は特に限定されない。例えば、変位係合部を、棒状の部材にて構成し、その長手方向に沿って変位可能となるように取り付けることが考えられる。
【００１５】
また、上述した以外の例としては、変位係合部を棒状の部材にて構成し、その長手方向に延びる軸を回転軸として回転可能となるように取り付けることが考えられる。このためには、請求項２の構成を、請求項３に記載の譜面台調節機構のように構成するとよい。
【００１６】
この譜面台調節機構において、前記変位係合部は、前記係合突起が１以上形成されてなる棒状部材であって、該棒状部材が、その長手方向に延びる軸を回転軸として前記鍵盤楽器に対して回転可能となるように取り付けられ、また、前記係合突起それぞれが、前記棒状部材を回転させた場合における回転方向に沿って配置される。
【００１７】
この構成においては、前記変位係合部の棒状部材が回転すると、前記係合突起のうち少なくともいずれかが、前記回転突起に係合しながら回転することで該回転突起と共に前記回転突起部を回転させ、これにより、該回転と連動して前記譜面台が回転する。
【００１８】
このように構成された譜面台調節機構によれば、変位係合部の棒状部材を連続的に回転させると、係合突起のうち少なくともいずれかが回転突起に係合しながら回転することで、この回転突起と共に回転突起部が回転するため、その回転と連動して譜面台を連続的に回転させることができる。
【００１９】
このように、譜面台を連続的に回転させることができるため、変位係合部の棒状部材の変位量に応じて譜面台の取付角度を任意に変化させることができる結果、従来よりも多くのパターンの取付角度による譜面台の取り付けを実現できる。
【００２０】
さらに、変位係合部の棒状部材は、その長手方向に延びる軸を回転軸として回転するだ
けで、変位係合部の鍵盤楽器に対する位置が変位しない。よって、変位係合部を変位させるために必要なスペースを考慮することなく鍵盤楽器本体および譜面台の形状を設計できる。
【００２１】
なお、上述した譜面台調節機構において、変位係合部の棒状部材は、外部からの力を受けて回転することとなるが、このときの動力としては、他の動力機構からの動力や、ユーザの操作による動力が考えられる。
【００２２】
このユーザの操作による動力で棒状部材を回転させるためには、例えば、変位係合部の棒状部材をユーザに操作させることで、棒状部材を回転させるように構成すればよい。その具体的な構成の例としては、例えば、請求項３の構成を、請求項４に記載の譜面台調節機構のように構成することが望ましい。
【００２３】
この譜面台調節機構において、前記変位係合部は、前記棒状部材の長手方向における所定の領域にのみ前記係合突起が形成されている。
このように構成された譜面台調節機構によれば、変位係合部には、棒状部材における所定の領域にのみ係合突起が形成されているため、ユーザは、係合突起が形成されていない領域を持って棒状部材を回転させることができる。
【００２４】
なお、上述した棒状部材は、ユーザによる操作ができるのであればどのように配置してもよいが、演奏者にとって譜面台の取付角度を調節するのに適した配置とすることが望ましい。
【００２５】
このためには、請求項４の構成を、請求項５に記載の譜面台調節機構のように構成することが考えられる。
この譜面台調節機構の前記変位係合部においては、前記係合突起が、前記棒状部材の一端側に形成されており、前記棒状部材が、その他端側が前記鍵盤楽器における演奏者側に向けて延びる位置関係で配置されている。
【００２６】
このように構成された譜面台調節機構によれば、棒状部材において係合突起の形成されていない他端側が演奏者側に向くように配置されることになる。そのため、演奏者は、実際に鍵盤楽器を演奏する状態で譜面台の取付角度を調節することができるため、譜面台を演奏中に見やすい適切な取付角度に調節できる。
【００２７】
ところで、譜面台を任意の取付角度に調節した状態で固定するための具体的な構成は特に限定されない。その具体的な構成の例としては、例えば、請求項２〜５いずれかの構成を、請求項６に記載の譜面台調節機構のように構成することが考えられる。
【００２８】
この譜面台調節機構は、前記譜面台の前記鍵盤楽器本体に対する回転を抑制する回転抑制部を備えており、前記回転抑制部が、前記回転突起部の回転と連動して変位する変位固定部材と、少なくとも、前記変位固定部材と嵌合して該変位固定部材の前記鍵盤楽器本体に対する変位を抑制する位置，および，前記変位固定部材と嵌合しない位置それぞれに変位可能な状態で、前記鍵盤楽器本体に取り付けられた嵌合部材と、からなる。
【００２９】
この構成においては、該嵌合部材が前記変位固定部材と嵌合する位置まで変位すると、前記変位固定部材の前記鍵盤楽器本体に対する変位が抑制されることに伴って前記回転突起部の回転が抑制され、これにより、該回転突起部と連動する前記譜面台の回転が抑制される。
【００３０】
このように構成された譜面台調節機構によれば、嵌合部材を変位固定部材と嵌合する位置まで変位させると、変位固定部材の鍵盤楽器本体に対する変位が抑制されることに伴って回転突起部の回転が抑制されるため、回転突起部と連動する譜面台の回転を抑制できる。
【００３１】
そのため、譜面台を任意の取付角度まで回転させた後で、嵌合部材を変位固定部材と嵌合する位置まで変位させることにより、譜面台を任意の取付角度に調節した状態で固定できる。
【００３２】
なお、上述した変位固定部材は、回転突起部と連動して変位可能となれば、回転突起部に取り付けてもよいし、変位係合部に取り付けてもよい。
上述した後者の構成を実現するためには、請求項６の構成を、請求項７に記載の譜面台調節機構のように構成することが考えられる。
【００３３】
この譜面台調節機構においては、前記回転抑制部における前記変位固定部材が、前記変位係合部における係合突起の変位と連動して変位する位置関係で取り付けられている。
この構成においては、前記嵌合部材が前記変位固定部材と嵌合する位置まで変位すると、前記変位固定部材の前記鍵盤楽器本体に対する変位が抑制されることに伴って前記変位係合部の変位が抑制されることにより、該変位係合部の係合突起と前記回転突起が係合した状態での前記回転突起部の回転が抑制され、これにより、該回転突起部と連動する前記譜面台の回転が抑制される。
【００３４】
このように構成された譜面台調節機構によれば、嵌合部材を変位固定部材と嵌合する位置まで変位させると、変位固定部材の鍵盤楽器本体に対する変位が抑制されることに伴って変位係合部の変位が抑制される。これにより、変位係合部の係合突起と回転突起が係合した状態で回転突起部の回転が抑制される結果、回転突起部と連動する譜面台の回転を抑制できる。
【００３５】
そのため、譜面台を任意の取付角度まで回転させた後で、嵌合部材を変位固定部材と嵌合する位置まで変位させることにより、譜面台を任意の取付角度に調節した状態で固定できる。
【００３６】
ところで、譜面台を自由な位置で固定させるために、請求項１の構成を、請求項８に記載の譜面台調節機構のように構成することが考えられる。
この譜面台調節機構は、前記鍵盤楽器本体に対して前記譜面台を回転可能に取り付ける譜面台取付部と、前記譜面台の前記鍵盤楽器本体に対する回転を抑制する譜面台固定部と、を備えている。
【００３７】
前記譜面台固定部は、前記譜面台の回転に連動して回転する回転部材と、前記回転部材に対向するように配置され、該回転部材と当接する当接位置，および，該回転部材から所定の距離離れた隔離位置それぞれに変位可能となるように、前記鍵盤楽器本体に取り付けられている移動部材と、からなる。
【００３８】
そして、前記移動部材が前記当接位置に位置する場合に、前記移動部材が前記回転部材の回転を抑制することで、前記譜面台の回転を抑制する一方、前記移動部材が前記隔離位置に位置する場合に、前記移動部材による前記回転部材の回転の抑制が解除されることで
、前記譜面台の回転が可能となるように構成されている。
【００３９】
このように構成された譜面台調節機構によれば、移動部材が隔離位置である状態において、ユーザは、譜面台を自由な角度に回転でき、そして、適切な角度に回転させた状態で移動部材を当接位置に変位させることで、その角度のままに譜面台の回転を抑制することができる。
【００４０】
このように、譜面台を任意の角度に回転させた状態で譜面台の回転を抑制できるため、従来よりも多くのパターンの取付角度による譜面台の取り付けを実現できる。
なお、上述した譜面台調節機構において、移動部材は、ユーザが直接的に手などで移動部材を変位させる構成であってもよく、また、ユーザの操作に応じて動作する機構を介して変位させる構成であってもよい。
【００４１】
上述した後者の具体的な構成の例としては、例えば、請求項８の構成を請求項９に記載の譜面台調節機構のように構成することが考えられる。
この譜面台調節機構の前記移動部材は、磁石を備えており、前記譜面台固定部は、少なくとも前記磁石との間に引力，または，斥力のいずれか１つを発生する磁石を有する操作部材を備えている。
【００４２】
そして、この譜面台調節機構において、前記移動部材は、前記移動部材の磁石と、前記操作部材の磁石と、の間の引力または斥力により、前記当接位置と前記隔離位置との間で変位することを特徴とする。
【００４３】
このように構成された譜面台調節機構によれば、操作部材の磁石を変位させて移動部材の磁石に引力または斥力を与えることで、移動部材を当接位置と隔離位置との間で変位させることができ、それにより譜面台をその回転が抑制された状態，または，譜面台の回転の抑制が解除された状態，のいずれかとすることができる。
【発明を実施するための最良の形態】
【００４４】
以下、本発明の実施例を図面と共に説明する。
【実施例１】
【００４５】
［全体構成］
本実施例の譜面台調節機構１は、図１に示すように、鍵盤楽器本体２に対して譜面台３を回転可能に取り付ける蝶番１０，譜面台３の厚さ方向に貫通する溝内に配置された譜面台ギア２０，鍵盤楽器本体２に取り付けられた操作ギア３０とストッパー４０，および，操作ギア３０とストッパー４０を鍵盤楽器本体２に固定するための固定金具５０などによって構成されている。
【００４６】
この譜面台調節機構１において、蝶番１０は、軸部材１２によって回転可能に連結されている板状部材の一方が鍵盤楽器本体２に取り付けられ、他方が譜面台３に取り付けられている。このように蝶番１０が取り付けられることで、譜面台３は、蝶番１０の軸部材１２を回転軸として鍵盤楽器本体２に対して回転可能となる。
【００４７】
また、譜面台ギア２０は、複数の回転突起２２からなるギアであって、これら回転突起２２が譜面台３の回転する軌道に沿うように、かつ、その譜面台３と同じ回転軸で回転する位置関係で、譜面台３に取り付けられている。
【００４８】
また、操作ギア３０は、図２（ａ）に示すように、複数の係合突起３２からなるギア部３４，このギア部３４から延びるシャフト３６，このシャフト３６におけるギア部３４と反対の端部側に形成されたハンドル３８，などによって構成されている。
【００４９】
これらのうち、ギア部３４の係合突起３２は、シャフト３６の長手方向に延びる軸を回転軸として回転させた場合におけるその回転方向に沿って配置されている。
また、このギア部３４には、上述したストッパー４０の先端が嵌合する形状の嵌合溝３３が、各係合突起３２の間それぞれに形成されている。
【００５０】
そして、この操作ギア３０において、シャフト３６は、その長手方向に延びる軸が譜面台ギア２０の回転軸と交差（本実施例では直交）し、ギア部３４の係合突起３２が譜面台ギア２０の回転突起２２と係合する位置関係で、鍵盤楽器本体２に対して固定されている。これにより、シャフト３６は、ハンドル３８が形成されている側の端部が演奏者側（図１におけるＡ方向）に向けて延びるように配置されることになる。
【００５１】
このとき、シャフト３６は、その長手方向に延びる軸を回転軸として回転可能となるように固定されており、これによって、ハンドル３８を回転させることでシャフト３６の先端側に配置されたギア部３４を回転させることができる。
【００５２】
また、ストッパー４０は、操作ギア３０のシャフト３６の長手方向に沿って配置された棒状の部材であり、鍵盤楽器本体２に対してその長手方向に沿って変位可能となるように固定されている。これにより、このストッパー４０は、その先端が、ギア部３４の嵌合溝３３に嵌合していない状態（図２（ａ）参照）から、嵌合溝３３に嵌合している状態（図２（ｂ）参照）へと変位させることができる。
［効果］
このように構成された譜面台調節機構１によれば、操作ギア３０が、そのギア部３４の係合突起３２に譜面台ギア２０の回転突起２２が係合した状態で回転すると、その係合突起３２のうち少なくともいずれかが回転突起２２に係合しながら回転することで、その回転突起２２と共に譜面台ギア２０を回転させ、これにより、その回転と連動して譜面台３が回転する。そのため、操作ギア３０を連続的に回転させると、譜面台３を連続的に回転させることができる。
【００５３】
このように、本実施例の譜面台調節機構１によれば、操作ギア３０により譜面台３を連続的に回転させることができるため、その操作ギア３０の変位量に応じて譜面台３の取付角度を任意に変化させることができる結果、従来よりも多くのパターンの取付角度による譜面台の取り付けを実現できる。
【００５４】
また、操作ギア３０は、シャフト３６の長手方向に延びる軸を回転軸として回転するように構成されていることから、操作ギア３０の鍵盤楽器に対する位置が変位しない。よって、操作ギア３０を変位させるために必要なスペースを考慮することなく鍵盤楽器本体２および譜面台３の形状を設計できる。
【００５５】
また、本実施例の譜面台調節機構１によれば、操作ギア３０は、シャフト３６における一方の端部側にギア部３４が形成されており、反対側の端部にハンドル３８が形成されている。そのため、ユーザは、ハンドル３８側の端部を持って操作ギア３０を回転させることができる。
【００５６】
また、本実施例の譜面台調節機構１によれば、操作ギア３０は、シャフト３６におけるハンドル３８側の端部が演奏者側に向くように配置されているため、演奏者は、実際に鍵
盤楽器を演奏する状態で譜面台３の取付角度を調節することができる結果、譜面台３を演奏中に見やすい適切な取付角度に調節できる。
【００５７】
また、本実施例の譜面台調節機構１によれば、ストッパー４０の先端を嵌合溝３３と嵌合する位置まで変位させると、嵌合溝３３が形成されている操作ギア３０の鍵盤楽器本体２に対する回転が抑制される。これにより、操作ギア３０の係合突起３２と譜面台ギア２０の回転突起２２が係合した状態で譜面台ギア２０の回転が抑制される結果、譜面台ギア２０と連動する譜面台３の回転を抑制できる。
【００５８】
そのため、譜面台３を任意の取付角度まで回転させた後で、ストッパー４０の先端を嵌合溝３３と嵌合する位置まで変位させることにより、譜面台３を任意の取付角度に調節した状態で固定できる。
【００５９】
なお、本実施例では、ストッパー４０の先端が嵌合溝３３と嵌合することによって譜面台３の回転を抑制するように構成されている。そのため、上述した譜面台３の調節は、ギア部３４の回転方向に対する嵌合溝３３の角度間隔で決まるパターンの取付角度に限られることになる。
【００６０】
しかしながら、この嵌合溝３３は、それが形成されるギア部３４における位置、その大きさなどを、従来の鍵盤楽器における係合溝や支持棒などの位置や大きさに比べて自由に設計できる。そのため、例えば、嵌合溝３３をギア部３４において小さな間隔で形成しておけば、同じ回転量に対してより細かい角度間隔でストッパー４０の先端を嵌合させることができる。これにより、従来の譜面台調節機構よりも細かく譜面台３の取付角度を調節できることになり、従来よりも多くのパターンの取付角度による譜面台の取り付けを実現できる。
［変形例］
以上、本発明の実施例１について説明したが、本発明は、上記実施例に何ら限定されることはなく、本発明の技術的範囲に属する限り種々の形態をとり得ることはいうまでもない。
【００６１】
例えば、上記実施例においては、操作ギア３０が、シャフト３６の長手方向に延びる軸を回転軸として回転する方向に変位する構成について例示した。しかし、本発明の操作ギア３０は、譜面台ギア２０と連動して変位可能であれば、その具体的な変位の方向については特に限定されない。
【００６２】
例えば、操作ギア３０の変位が、シャフト３６の長手方向に沿った変位である構成であってもよい。この場合は、係合突起３２を、シャフト３６の長手方向に沿って配置することで、係合突起３２が回転突起２２と係合した状態、つまり操作ギア３０が譜面台ギア２０と連動した状態にて操作ギア３０を変位させることができる。
【００６３】
また、上記実施例において、操作ギア３０が回転するための動力は、操作ギア３０のハンドル３８に対するユーザの操作である構成について例示した。しかし、本発明の操作ギア３０が回転するための動力は、モーターのような他の動力機械からの動力であってもよい。
【００６４】
また、上記実施例においては、操作ギア３０のギア部３４にストッパー４０の先端を嵌合させるための嵌合溝３３が形成された構成について例示した。しかし、この嵌合溝３３は、譜面台ギア２０と連動する部分であれば、操作ギア３０以外に形成してもよい。
【００６５】
例えば、図３に示すように、ギア部３４とシャフト３６との連結部分に、嵌合溝３３を
形成してなる溝部材６０を設けた構成とすることが考えられる。
また、上記のもの以外の例としては、嵌合溝３３を、譜面台ギア２０に形成することが考えられる。この場合は、ストッパー４０を、譜面台ギア２０に形成された嵌合溝３３に嵌合する状態へ変位可能となる位置関係で鍵盤楽器本体２に固定するとよい。
［本発明との対応関係］
以上説明した実施例１において、蝶番１０が本発明における譜面台取付部であり、譜面台ギア２０が本発明における回転突起部であり、操作ギア３０が本発明における変位係合部であり、ギア部３４が本発明における変位固定部材であり、ストッパー４０が本発明における嵌合部材である。
【実施例２】
【００６６】
［全体構成］
本実施例の譜面台調節機構１００は、図４に示すように、鍵盤楽器本体２に対して譜面台３を回転可能に取り付ける蝶番１０，譜面台３の側面に取り付けられた回転部材１１０，一端が回転部材１１０と対向する位置に配置された柱状の移動部材１２０，回転部材１１０から移動部材１２０に向けて延びるガイド部材１３０，移動部材１２０に対してその長手方向の変位を許容し、それ以外の変位を抑制するレール部材１４０，鍵盤楽器本体２に取り付けられた操作部材１５０などによって構成されている。
【００６７】
この譜面台調節機構１００において、蝶番１０は、上記実施例１と同様の構成である。そのため、譜面台３は、上記実施例１と同様に、蝶番１０の軸部材１２を回転軸として鍵盤楽器本体２に対して回転可能となる。
【００６８】
また、回転部材１１０は、図５に示すように、略円柱状の部材であって、中心軸１１２方向の一方の端部１１０Ａに向けて次第に細くなるように形成されている。また、回転部材１１０における中心軸１１２に沿う側面のうち、上述した細くなる部分の側面１１０Ｂは、その表面がゴムで形成されており、後述する移動部材１２０の当接面１２２と当接する。
【００６９】
この回転部材１１０は、中心軸１１２が譜面台３の回転軸と一致する位置関係で、上述した一方の端部１１０Ａとは反対に位置する他方の端部１１０Ｃが譜面台３に取り付けられている。そのため、回転部材１１０は、譜面台３の回転に伴って中心軸１１２を回転中心として回転する。
【００７０】
また、ガイド部材１３０は、上述した一方の端部１１０Ａから中心軸１１２に沿って延びる棒状の部材である。このガイド部材１３０における回転部材１１０と反対側の端部には、フランジ状に形成されたフランジ部１３２が設けられている。このガイド部材１３０は、その長手方向の中心軸が、回転部材１１０の中心軸１１２と重なるように配置されている。
【００７１】
また、移動部材１２０は、図６（ａ）に示すように、柱状の柱部１２０Ａと、柱部１２０Ａの一端から、その中心軸に沿って延びる筒状の筒部１２０Ｂと、からなる。
この筒部１２０Ｂは、柱部１２０Ａから離れるにつれて次第に広くなる形状であって、その内側面には、表面がゴムで形成された当接面１２２が形成されている。この当接面１２２は、回転部材１１０と移動部材１２０とを当接させた際に、回転部材１１０における上述した側面１１０Ｂと全面に亘って重なる。
【００７２】
また、柱部１２０Ａにおける筒部１２０Ｂと反対の端部には、磁石１２４が備えられて
いる。
この柱部１２０Ａには、図６（ｂ）（図６（ａ）におけるＢ断面図）に示すように、ガイド部材１３０が通過するガイド溝１２６，および，図７に示すようなＴ字型の断面を有するレール部材１４０が通過するレール溝１２８，が柱部１２０Ａの長手方向に沿って形成されている。また、レール溝１２８は、筒部１２０Ｂにまで続いて形成されている。
【００７３】
そして、この移動部材１２０は、図４に示すように、ガイド部材１３０がガイド溝１２６を通過し、レール部材１４０がレール溝１２８を通過するように配置されている。そのため、この移動部材１２０は、ガイド部材１３０の長手方向（図４における矢印方向）にのみ変位可能であって、譜面台３の回転方向に対しては回転変位不能となっている。
【００７４】
また、操作部材１５０は、図８に示すように、板状の本体部１５２と、本体部１５２から延び出す棒状の部材である把持部材１５４と、からなる。
上述した本体部１５２は、移動部材１２０の磁石１２４と反発する磁石である斥力部１５２Ａ，および，磁石１２４と引き合う磁石である引力部１５２Ｂを備えている。これらのうち、斥力部１５２Ａは、本体部１５２における把持部材１５４が延び出す側面と反対側の側面において、その側面の長手方向における一方の端部に配置されている。また、引力部１５２Ｂは、上述した側面の長手方向における他方の端部に配置されている。
【００７５】
また、操作部材１５０は、図４に示すように、その把持部材１５４の長手方向がガイド部材１３０の長手方向と直交する位置関係で、取付金具１５６を介して鍵盤楽器本体２に取り付けられている。この操作部材１５０のうち、本体部１５２は、上述した中心軸１１２のフランジ部１３２方向の延長線上に、斥力部１５２Ａおよび引力部１５２Ｂが配置されるように取り付けられている。また、把持部材１５４は、本体部１５２から演奏者側に延び出すような位置関係で取り付けられている。
【００７６】
また、上述した操作部材１５０は、その把持部材１５４を回転軸として回転可能となっている。これにより、上述した斥力部１５２Ａおよび引力部１５２Ｂは、操作部材１５０の回転に伴って回転変位する。そして、操作部材１５０が半回転すると互いの位置が入れ替わることとなる。
【００７７】
これらのことから、磁石１２４は、操作部材１５０が回転して、斥力部１５２Ａが磁石１２４に接近したとき（図４においては、斥力部１５２Ａがフランジ部１３２に接近する位置に回転変位したとき）に、斥力部１５２Ａと反発して斥力部１５２Ａから離れる方向（図４の矢印におけるＢ方向）の力を受ける一方、さらに操作部材１５０が半回転して、引力部１５２Ｂが磁石１２４に接近したときに、引力部１５２Ｂと引き合って引力部１５２Ｂに近づく方向（図４の矢印におけるＣ方向）の力を受ける。
［効果］
このように構成された譜面台調節機構１００において、移動部材１２０は、その磁石１２４が本体部１５２の斥力部１５２Ａと反発する力を受けると、斥力部１５２Ａから離れる方向（図４の矢印におけるＢ方向）に変位して、当接面１２２と回転部材１１０の側面１１０Ｂとが当接する当接位置に位置することとなる。一方、この移動部材１２０は、磁石１２４が本体部１５２の引力部１５２Ｂと引き合う力を受けると、引力部１５２Ｂに近づく方向（図４の矢印におけるＣ方向）に変位して、磁石１２４とフランジ部１３２とが当接する隔離位置に位置することとなる。
【００７８】
そして、移動部材１２０が当接位置に位置するときは、移動部材１２０の当接面１２２と、回転部材１１０の側面１１０Ｂと、の摩擦により、回転部材１１０の回転が抑制され
ることで、譜面台３の回転が抑制された抑制状態となる一方、移動部材１２０が隔離位置に位置するときは、移動部材１２０による回転部材１１０の回転の抑制が解除されるため、譜面台３の回転が可能な解除状態となる。
【００７９】
このように、この譜面台調節機構１００によれば、移動部材１２０を隔離位置に変位させることで、演奏者は譜面台３を自由な角度に回転できるようになり、そして、適切な角度に回転させた状態で移動部材１２０を当接位置に変位させることで、その角度のままに譜面台３の回転を抑制することができる。
【００８０】
すなわち、譜面台３を任意の角度に回転させた状態で譜面台の回転を抑制できるため、従来よりも多くのパターンの取付角度による譜面台３の取り付けを実現できる。
また、このように構成された譜面台調節機構１００によれば、把持部材１５４を回転変位させることで、移動部材１２０を変位させることができ、それにより譜面台３の回転が可能な解除状態と、譜面台３の回転が抑制された抑制状態と、を切り替えることができる。
［変形例］
以上、本発明の実施例２について説明したが、本発明は、上記実施例に何ら限定されることはなく、本発明の技術的範囲に属する限り種々の形態をとり得ることはいうまでもない。
【００８１】
例えば、上記実施例においては、回転部材１１０の側面１１０Ｂ，および，移動部材１２０の当接面１２２の表面それぞれを形成するゴムの摩擦によって、回転部材１１０の回転を抑制する構成を例示した。しかし、それらが当接している場合に回転部材１１０の回転を抑制可能であれば、その具体的な構成は特に限定されない。例えば、側面１１０Ｂおよび当接面１２２の表面それぞれに１以上の突起が形成されており、それら突起が係合することで回転部材１１０の回転を抑制する構成であってもよい。
【００８２】
また、上記実施例においては、磁石１２４と斥力部１５２Ａとの反発する力，および，磁石１２４と引力部１５２Ｂとの引き合う力を利用して、抑制状態および解除状態を実現する構成について例示した。しかし、磁石１２４と操作部材１５０とにより、抑制状態，解除状態のいずれか一方の状態のみ実現する構成であって、他方の状態は別の手段を用いて実現する構成であってもよい。
【００８３】
その具体的な例としては、例えば、磁石１２４とフランジ部１３２の間に弦巻バネが配置されており、引力部１５２Ｂが磁石１２４と引き合う位置でない場合には、弦巻バネにより移動部材１２０が回転部材１１０と嵌合する当接位置まで変位されて抑制状態となる一方、引力部１５２Ｂが磁石１２４と引き合う位置の場合には、その引力により移動部材１２０が隔離位置まで変位されて解除状態となる構成が考えられる。
［本発明との対応関係］
以上説明した実施例２において、蝶番１０が本発明における譜面台取付部である。
【図面の簡単な説明】
【００８４】
【図１】実施例１の譜面台調節機構の構造を示す斜視図
【図２】操作ギアの構造を示す図
【図３】操作ギアの変形例の構造を示す図
【図４】実施例２の譜面台調節機構の構造を示す斜視図
【図５】回転部材およびガイド部材の構造を示す図
【図６】移動部材の構造を示す図
【図７】レール部材の構造を示す図
【図８】操作部材の構造を示す図
【符号の説明】
【００８５】
１，１００…譜面台調節機構、２…鍵盤楽器本体、３…譜面台、１０…蝶番、１２…軸部材、２０…譜面台ギア、２２…回転突起、３０…操作ギア、３２…係合突起、３３…嵌合溝、３４…ギア部、３６…シャフト、３８…ハンドル、４０…ストッパー、５０…固定金具、６０…溝部材、１１０…回転部材、１１０Ａ，１１０Ｃ…端部、１１０Ｂ…側面、１１２…中心軸、１２０…移動部材、１２０Ａ…柱部、１２０Ｂ…筒部、１２２…当接面、１２４…磁石、１２６…ガイド溝、１２８…レール溝、１３０…ガイド部材、１３２…フランジ部、１４０…レール部材、１５０…操作部材、１５２…本体部、１５２Ａ…斥力部、１５２Ｂ…引力部、１５４…把持部材、１５６…取付金具。
【図１】
2008241883.tif 000003
【図２】
2008241883.tif 000004
【図３】
2008241883.tif 000005
【図４】
2008241883.tif 000006
【図５】
2008241883.tif 000007
【図６】
2008241883.tif 000008
【図７】
2008241883.tif 000009
【図８】
2008241883.tif 000010